(57)【要約】【課題】主として食品の装飾に用いられる飾り付き棒状装飾具において、粘着材等を使用せずに、飾り部材を棒状部材に取り付け可能とする技術の提供。【解決手段】飾り付き棒状装飾具１００は、先端が先細に形成された棒状部材１と、棒状部材１とは別体に形成された飾り部材２と、を備える。飾り部材２が、シート状の本体部２１と、本体部２１に設けられた複数の差し込み口２２，２２と、を備える。そして、棒状部材１が複数の差し込み口２２，２２に次々に挿通されることで、棒状部材１に飾り部材２が取り付けられている。【選択図】図１
2020199051.tif 000002
【特許請求の範囲】
【請求項１】
先端が先細に形成された棒状部材と、
前記棒状部材とは別体に形成された飾り部材と、
を備え、
前記飾り部材が、
シート状の本体部と、
前記本体部に設けられた複数の差し込み口と、
を備え、
前記棒状部材が前記複数の差し込み口に次々に挿通されることで、前記棒状部材に前記飾り部材が取り付けられている、
ことを特徴とする飾り付き棒状装飾具。
【請求項２】
請求項１に記載の飾り付き棒状装飾具であって、
前記複数の差し込み口の各々が、所定のラインに沿って形成された切れ目により形成される、
ことを特徴とする飾り付き棒状装飾具。
【請求項３】
請求項２に記載の飾り付き棒状装飾具であって、
前記所定のラインが、屈曲したラインである、
ことを特徴とする飾り付き棒状装飾具。
【請求項４】
請求項１に記載の飾り付き棒状装飾具であって、
前記複数の差し込み口の各々が、貫通孔により形成される、
ことを特徴とする飾り付き棒状装飾具。
【請求項５】
請求項１から４のいずれかに記載の飾り付き棒状装飾具であって、
前記棒状部材が、爪楊枝である、
ことを特徴とする飾り付き棒状装飾具。
【請求項６】
シート状の本体部と、
前記本体部に設けられた複数の差し込み口と、
を備え、
先端が先細に形成された棒状部材が、前記複数の差し込み口に次々に挿通されることで、前記棒状部材に取り付けられるように構成されている、
ことを特徴とする、飾り付き棒状装飾具用の飾り部材。
【発明の詳細な説明】
【技術分野】
【０００１】
本発明は、主として食品の装飾に用いられる飾り付き棒状装飾具に関する。
【背景技術】
【０００２】
食品を装飾するための装飾具は従来から各種存在する（例えば、特許文献１）。特に、お弁当、ケーキ、パーティ料理、オードブル料理、等を装飾するために用いられる装飾具として、食品に突き刺して用いるもの（「食品ピック」等と呼ばれることもある）がよく知られている。この食品ピックは、先端が先細に形成された棒状部材における持ち手側の端部に飾りが設けられたものであり、先端を食品に突き刺して用いる。
【０００３】
食品ピックとしては、棒状部材と飾り部材とが樹脂成形等により一体的に形成されたものや、棒状部材にこれとは別体に形成された飾り部材を取り付けることにより形成されたものがある。
【０００４】
後者の態様として良く知られているのが、棒状部材として爪楊枝を利用し、これに旗を模した紙片を飾り部材として取り付けたもの（「楊枝旗」、「旗楊枝」、「ランチ旗」等と呼ばれることもある）である。
【０００５】
この楊枝旗は、一般に次のようにして製造される。すなわち、まず、旗を模した紙片を準備し、旗の基端となる側の端部部分に粘着材や接着剤を塗布する。そして、該粘着材等が塗布された部分を爪楊枝の持ち手部分に巻き付けて、巻き付けた部分を指で押さえつけることで、旗を爪楊枝に固定する。
【先行技術文献】
【特許文献】
【０００６】
【特許文献１】特開２０１９−０００３３４号公報
【発明の概要】
【発明が解決しようとする課題】
【０００７】
上記の通り、従来の一般的な楊枝旗では、粘着材等を用いて旗が爪楊枝に固定される。ところが、食品に突き刺して使用されるものに粘着材等が用いられることは、食品安全の観点上好ましくない。また、食事の際に粘着材等の臭いが不快感を与える虞もある。
【０００８】
また、爪楊枝は一般に１０ｃｍに満たない短いものである。このため、粘着材等が塗布された旗の部分を爪楊枝の持ち手部分に巻き付けて指等で押さえつける作業を行う際に、作業者が爪楊枝の先端部分を持たざるを得ない。しかしながら、食品に直接触れる部分に作業者の手が触れることは、食品衛生上好ましいとはいえない。
【０００９】
本発明は、このような課題に鑑みてなされたものであり、主として食品の装飾に用いられる飾り付き棒状装飾具において、粘着材等を使用せずに、飾り部材を棒状部材に取り付け可能とする技術の提供を目的とする。
【課題を解決するための手段】
【００１０】
本発明は、上記の目的を達成するために、次のような手段を講じたものである。
【００１１】
すなわち、本発明は、飾り付き棒状装飾具であって、
先端が先細に形成された棒状部材と、
前記棒状部材とは別体に形成された飾り部材と、
を備え、
前記飾り部材が、
シート状の本体部と、
前記本体部に設けられた複数の差し込み口と、
を備え、
前記棒状部材が前記複数の差し込み口に次々に挿通されることで、前記棒状部材に前記飾り部材が取り付けられている、
ことを特徴とする。
【００１２】
この構成によると、飾り部材を、粘着材等を使用せずに棒状部材に取り付けることができる。粘着材等を使用しないので、食品に突き刺して使用しても安全である。また、粘着材等の臭いが食事の際に不快感を与えることもない。また、棒状部材を先端側から複数の差し込み口に次々と挿通していくだけで飾り部材を棒状部材に取り付けることができるので、取り付け作業が簡易である。また、取り付け作業において、作業者が棒状部材の先端部分（すなわち、食品に直接触れる部分）に手を触れずにすむため、衛生的である。
【００１３】
好ましくは、前記飾り付き棒状装飾具において、
前記複数の差し込み口の各々が、所定のラインに沿って形成された切れ目により形成される、
ことを特徴とする。
【００１４】
この構成によると、簡易に差し込み口を形成することができる。また、例えば貫通孔で差し込み口を形成する場合、打抜き加工の際に屑（カス）が出ることが避けられないが、切れ目で差し込み口を形成すれば、このような屑が発生することもない。
【００１５】
好ましくは、前記飾り付き棒状装飾具において、
前記所定のラインが、屈曲したラインである、
ことを特徴とする。
【００１６】
この構成によると、差し込み口に棒状部材を挿通する際、または、差し込み口に棒状部材が挿通された状態において、切れ目の端が裂けにくい。したがって、切れ目の端が裂けることで差し込み口が拡がって棒状部材が脱落してしまう、といった事態が生じにくい。
【００１７】
好ましくは、前記飾り付き棒状装飾具において、
前記複数の差し込み口の各々が、貫通孔により形成される、
ことを特徴とする。
【００１８】
この構成によると、差し込み口に棒状部材を挿通する作業を簡易に行うことができる。
【００１９】
好ましくは、前記飾り付き棒状装飾具において、
前記棒状部材が、爪楊枝である、
ことを特徴とする。
【００２０】
この構成によると、棒状部材が、汎用品である爪楊枝により構成されるので、製造コストを低く抑えることができる。
【００２１】
また、本発明は、飾り付き棒状装飾具用の飾り部材であって、
シート状の本体部と、
前記本体部に設けられた複数の差し込み口と、
を備え、
先端が先細に形成された棒状部材が、前記複数の差し込み口に次々に挿通されることで、前記棒状部材に取り付けられるように構成されている、
ことを特徴とする。
【００２２】
この構成によると、飾り部材を、粘着材等を使用せずに棒状部材に取り付けることができる。したがって、この飾り部材を用いて形成される飾り付き棒状装飾具は、食品に突き刺して使用しても安全であり、粘着材等の臭いが食事の際に不快感を与えることもない。また、この飾り部材であれば、これを棒状部材に取り付ける取り付け作業を、簡易かつ衛生的に行うことができる。
【発明の効果】
【００２３】
本発明によると、粘着材等を使用せずに、飾り部材を棒状部材に取り付けることができる。
【図面の簡単な説明】
【００２４】
【図１】実施形態に係る飾り付き棒状装飾具の構成を示す図。
【図２】飾り部材のバリエーションを示す図。
【図３】飾り部材のバリエーションを示す図。
【図４】飾り部材のバリエーションを示す図。
【図５】飾り部材のバリエーションを示す図。
【図６】棒状部材のバリエーションを示す図。
【図７】飾り部材のバリエーションを示す図。
【図８】飾り部材のバリエーションを示す図。
【図９】飾り部材のバリエーションを示す図。
【発明を実施するための形態】
【００２５】
以下、本発明の実施形態を、図面を参照しつつ説明する。
【００２６】
＜１．飾り付き棒状装飾具＞
実施形態に係る飾り付き棒状装飾具の構成について、図１を参照しながら説明する。図１は、実施形態に係る飾り付き棒状装飾具１００の構成を示す平面図である。
【００２７】
飾り付き棒状装飾具１００は、主として食品の装飾に用いられるものであり、棒状部材１と、飾り部材２と、を備える。
【００２８】
棒状部材１は、断面円形の直線状の棒状部材であり、一方の端部部分（先端部分）１１が先細に形成されている。この先端部分１１は、食品等に突き刺される切っ先部分を構成する。棒状部材１の他方の端部部分は、使用者が把持するための持ち手部分１２を構成する。ここでは、棒状部材１は、爪楊枝により構成される。「爪楊枝」は、周知の通り、主として歯に挟まった物を取るために用いられる道具であり、一般に、長さが１０ｃｍ未満程度の木製の棒状部材であって、先端部分が先細に形成されている。
【００２９】
飾り部材２は、棒状部材１とは別体に形成された部材であり、棒状部材１に取り付けて用いられる。飾り部材２は、シート状の本体部２１と、これに設けられた複数（図の例では、２個）の差し込み口２２，２２と、を備える。
【００３０】
本体部２１は、例えば、紙片により形成されている。本体部２１の形状はどのようなものであってもよいが、ここでは「旗」を模した形状とされている。具体的には、本体部２１は、平面視にて略長方形状であり、長尺方向の両端縁２１１，２１２のうちの一方（旗の先端に相当する端縁）２１１が、略Ｖ字状に切り欠かれた形状とされている。また、他方の端縁（旗の基端に相当する端縁）２１２の近傍には、後述する差し込み口２２が形成される。本体部２１の主面（表面および裏面）の一方あるいは両方には、国旗のデザイン、イラスト、等といった各種の意匠が施されてもよい。これらの意匠は、例えば、食品用インキを用いた印刷によって形成することができる。
【００３１】
複数の差し込み口２２，２２は、本体部２１の端縁２１２の近傍に、該端縁２１２と平行に一列に配列されている。各差し込み口２２は、複数の差し込み口２２，２２の配列方向（以下「上下方向」ともいう）と非平行に延在するラインに沿って形成された切れ目により形成される。この切れ目は、本体部２１の表面から裏面に貫通した切れ目（貫通切り込み）である。ここでは、該ラインは、屈曲したライン、より具体的には、上に凸の円弧部分を含むライン、とされている。この円弧部分は、その弦の長さが、棒状部材１の太さ（断面直径）と略同一あるいはこれよりも僅かに大きく、弦を上下方向と直交させるような姿勢で配置される。また、該ラインは、上に凸の円弧部分の両端部に、弦の長さがラインの全長に対して十分に小さい、下に凸の円弧部分が連なって形成されている。
【００３２】
飾り付き棒状装飾具１００は、棒状部材１に飾り部材２が取り付けられることにより構成される。ここでは、棒状部材１が飾り部材２の複数の差し込み口２２，２２に次々に挿通されることで、棒状部材１に飾り部材２が取り付けられる。
【００３３】
棒状部材１に飾り部材２を取り付ける取り付け作業は、具体的には例えば次のようになされる。すなわち、まず、作業者は、棒状部材１の持ち手部分１２を持って、先端部分１１側の端部を、本体部２１に設けられた上側の差し込み口２２に、本体部２１の表側から裏側に向けて差し込むようにして挿通する。次に、作業者は、先端部分１１を、下側の差し込み口２２に、本体部２１の裏側から表側に向けて差し込むようにして挿通する。このように、棒状部材１を複数の差し込み口２２，２２に縫い刺しにすることで、棒状部材１に飾り部材２が取り付けられる。
【００３４】
例えば、粘着材等を用いて飾り部材を棒状部材に取り付ける態様の場合、製造業者の側で取り付け作業を行って、飾り部材が棒状部材に取り付けられた完成状態でこれを販売することになる。これに対し、上記の取り付け態様によると、取り付け作業が非常に簡易であり、粘着材等の別材料も不要であるため、必ずしも製造業者の側で取り付け作業を行う必要は無く、使用者の側で取り付け作業を行わせるようにすることができる。したがって、飾り付き棒状装飾具１００を使用者に販売等する態様として、飾り部材２が棒状部材１に取り付けられた完成状態（図１（ｂ））で販売等する態様と、取り付け前の状態（図１（ａ））で販売等する態様とが、可能となる。さらに、飾り部材２だけを単品で販売等する態様も可能となる。この場合は、飾り部材２を購入等した使用者が、手元にある棒状部材（例えば、爪楊枝）１に、購入した飾り部材２を取り付けて使用することになる。
【００３５】
飾り付き棒状装飾具１００を販売等するにあたっては、多数個の飾り付き棒状装飾具１００を取り纏めてセット化して販売等することになる。完成状態で販売等する場合、多数個の飾り付き棒状装飾具１００を取り纏めるにあたって、飾り部材２に皺や折り目が付かないように注意を払わなければならないため、手間がかる。また、取り纏めた状態における嵩も高くなる。一方、取り付け前の状態で販売等する場合、棒状部材１と飾り部材２を別々に取り纏めればよいので、特段の注意を払わなくとも、飾り部材２に皺や折り目が付かないように簡単に取り纏めることができる。また、取り纏めた状態における嵩も低くなる。したがって、取り付け前の状態で販売等することで、セット化作業、保管、出荷、輸送、等に係る各コストを低減することができる。また、取り付け前の状態で販売等すれば、これを購入した使用者が、棒状部材１を単体で使用することもできるという利点も得られる。
【００３６】
＜２．効果＞
上記の実施形態に係る飾り付き棒状装飾具１００は、先端が先細に形成された棒状部材１と、棒状部材１とは別体に形成された飾り部材２と、を備える。また、飾り部材２が、シート状の本体部２１と、本体部２１に設けられた複数の差し込み口２２，２２と、を備える。そして、棒状部材１が複数の差し込み口２２，２２に次々に挿通されることで、棒状部材１に飾り部材２が取り付けられている。この構成によると、飾り部材２を、粘着材等を使用せずに棒状部材１に取り付けることができる。粘着材等を使用しないので、食品に突き刺して使用しても安全である。また、粘着材等の臭いが食事の際に不快感を与えることもない。また、棒状部材１を先端側（切っ先側）から複数の差し込み口２２，２２に次々と挿通していくだけで飾り部材２を棒状部材１に取り付けることができるので、取り付け作業が簡易である。また、取り付け作業において、作業者が棒状部材の先端部分（すなわち、食品に直接触れる切っ先部分）に手を触れずにすむため、衛生的である。
【００３７】
もっとも、棒状部材１が複数の差し込み口２２，２２に次々に挿通されることで棒状部材１に飾り部材２が取り付けられる態様は、取り付けの強度という点では、粘着材等を使用する態様に比べて不利である。しかしながら、食品の装飾に用いられる飾り付き棒状装飾具１００は、衛生上、使い捨てされるのが一般的であり、堅牢さや耐久性を要求されるものではない。したがって、取り付けの強度が多少劣ったとしても大きな問題はなく、上述した利点が得られるメリットの方が大きい。
【００３８】
また、棒状部材１を複数の差し込み口２２，２２に縫い刺しにすることで、飾り部材２が十分に安定して棒状部材１に取り付けられる。縫い刺しにすると、本体部２１の表面が多少波打った格好とはなるものの、それによって飾り部材２の全体としての雰囲気（例えば、本体部２１に施された意匠性）が大きく損なわれるものではない。
【００３９】
また、上記の実施形態に係る飾り付き棒状装飾具１００においては、複数の差し込み口２２，２２の各々が、所定のラインに沿って形成された切れ目により形成される。この構成によると、簡易に差し込み口２２を形成することができる。また、例えば貫通孔で差し込み口を形成する場合、打抜き加工の際に屑が出ることが避けられないが、切れ目で差し込み口２２を形成すれば、このような屑が発生することもない。
【００４０】
また、上記の実施形態に係る飾り付き棒状装飾具１００においては、上記の所定のラインが、屈曲したラインである。この構成によると、差し込み口２２に棒状部材１を挿通する際、または、差し込み口２２に棒状部材１が挿通された状態において、切れ目の端が裂けにくい。したがって、切れ目の端が裂けることで差し込み口が拡がって棒状部材１が脱落してしまう、といった事態が生じにくい。
【００４１】
また、上記の実施形態に係る飾り付き棒状装飾具１００においては、棒状部材１が、爪楊枝である。この構成によると、棒状部材１が、汎用品である爪楊枝により構成されるので、製造コストを低く抑えることができる。
【００４２】
また、上記の実施形態に係る飾り付き棒状装飾具１００に用いられる飾り部材２は、シート状の本体部２１と、本体部２１に設けられた複数の差し込み口２２，２２と、を備える。そして、飾り部材２は、先端が先細に形成された棒状部材１が、複数の差し込み口２２，２２に次々に挿通されることで、棒状部材１に取り付けられるように構成されている。この構成によると、飾り部材２を、粘着材等を使用せずに棒状部材１に取り付けることができる。したがって、この飾り部材２を用いて形成される飾り付き棒状装飾具１００は、食品に突き刺して使用しても安全であり、粘着材等の臭いが食事の際に不快感を与えることもない。また、この飾り部材２であれば、これを棒状部材１に取り付ける取り付け作業を、簡易かつ衛生的に行うことができる。
【００４３】
＜３．変形例＞
飾り部材２の本体部２１の形状は、上記に例示したものに限らない。例えば、図２（ａ）に示される飾り部材２ａの本体部２１ａのように、旗の先端に相当する端縁２１１ａが山形形状とされることにより、全体としてホームベース状の形状とされてもよい。また例えば、図２（ｂ）に示される飾り部材２ｂの本体部２１ｂのように、旗の先端に相当する端縁２１１ｂが、下側が斜めに切り欠かれた形状とされてもよい。また例えば、図２（ｃ）に示される飾り部材２ｃの本体部２１ｃのように、矩形状であってもよい。また例えば、図２（ｄ）に示される飾り部材２ｄの本体部２１ｄのように、旗の先端に相当する端縁２１１ｄが、円弧状とされてもよい。また例えば、図２（ｅ）に示される飾り部材２ｅの本体部２１ｅように、少なくとも１個の端縁（図の例では、旗の基端に相当する端縁２１２ｅ）が、装飾となる図形（幾何図形、イラスト、等）のアウトラインに沿ってカットされた形状部分２１３ｅを有するものとされてもよい。
【００４４】
また、上記の実施形態においては、複数の差し込み口２２，２２は、本体部２１の端縁（旗の基端に相当する端縁）２１２の近傍に形成されるものとしたが、複数の差し込み口２２，２２の形成位置はこれに限らない。例えば、図３（ａ）に示される飾り部材２ｆのように、複数の差し込み口２２，２２が、本体部２１ｆを二等分する中央線Ｌの近傍に、該中央線Ｌと平行に一列に配列されて、形成されてもよい。また例えば、図３（ｂ）に示される飾り部材２ｇのように、複数の差し込み口２２，２２が、このような中央線Ｌ上に一列に配列されて、形成されてもよい。この場合、各差し込み口２２が中央線Ｌを跨ぐようにして形成されることになる。これらの各構成においては、棒状部材１が複数の差し込み口２２，２２に次々に挿通されることで棒状部材１に飾り部材２ｆ，２ｇが取り付けられた後に、本体部２１ｆ，２１ｇを中央線Ｌで山折りにすることで、飾り部材２ｆ，２ｇを旗状に形成することができる。
【００４５】
また、上記の実施形態においては、本体部２１に形成される差し込み口２２の個数は、２個であったが、差し込み口２２の個数は３個以上であってもよい。例えば、図４に示されるような、「幟」を模した形状（すなわち、上下に長尺な形状）の飾り部材２ｈの場合、上下方向の長さに応じた個数（図の例では、４個）の差し込み口２２を形成すればよい。ただし、取り付けられた状態における飾り部材２ｈの安定性を鑑みると、差し込み口２２の個数は偶数個であることが好ましい。
【００４６】
また、上記の実施形態においては、差し込み口２２は、屈曲したラインに沿って形成された切れ目により形成されていたが、差し込み口２２の形成態様はこれに限らない。例えば、図５（ａ）に示されるように、差し込み口２２ａは、複数の差し込み口２２ａ，２２ａの配列方向と直交して延在する直線状のラインに沿って形成された切れ目により形成されてもよい。この場合、ラインの長さは、棒状部材１の断面直径と略同一あるいはこれよりも僅かに大きいものとされる。また、このラインは、直線状のライン部分の両端部に、弦の長さがラインの全長に対して十分に小さい円弧が連なって形成されたものとされてもよい。
【００４７】
また例えば、差し込み口は、互いに非平行な複数の直線状ライン部分を含むライン（例えば、十字状、Ｙ字状、星形状、アスタリスク状（放射状）、Ｌ字状、Ｔ字状、等のライン）に沿って形成された切れ目により形成されてもよい。
【００４８】
また例えば、差し込み口は、切れ目ではなく貫通孔により形成されてもよい。この場合、貫通孔の形状は、楕円形状（図５（ｂ）に示される差し込み口２２ｂ）であってもよいし、円形状（図５（ｃ）に示される差し込み口２２ｃ）であってもよいし、楕円以外の各種の扁平形状、多角形状、等であってもよい。楕円形状の貫通孔により形成される差し込み口２２ｂの場合、その長軸方向が、複数の差し込み口２２ｂ，２２ｂの配列方向と直交するような向きとされ、該長軸の長さが、棒状部材１の断面直径と略同一あるいはこれよりも僅かに大きい寸法とされる。また、円形状の貫通孔により形成される差し込み口２２ｃの場合、その直径が、棒状部材１の断面直径と略同一あるいはこれよりも僅かに大きい寸法とされる。貫通孔により形成された差し込み口２２ｂ，２２ｃによると、ここに棒状部材１を挿通する作業を易に行うことができる。
【００４９】
また、上記の実施形態では、棒状部材１は、爪楊枝により構成されていたが、棒状部材１は必ずしも爪楊枝により構成されなくともよい。例えば、図６には、棒状部材１ａが串により構成される場合が示されている（図６にはサイズの比較のために、爪楊枝により構成される棒状部材１を用いた場合が併せて示されている）。「串」は、食品の調理や提供にあたって、食品に刺して用いられる道具であり、一般に、長さが爪楊枝よりも長く、太さも爪楊枝よりも太い、木製あるいは金属製の棒状部材であって、先端部分が先細に形成されている。広く汎用されている串の１つに、竹を用いて形成された竹串があり、この竹串が棒状部材１ａとして用いられることも好ましい。一般に、串の断面直径は爪楊枝の断面直径よりも大きい。したがって、串により構成される棒状部材１ａが用いられる場合、飾り部材２の差し込み口２２の幅寸法は、爪楊枝により構成される棒状部材１が用いられる場合よりも大きなものとされる。
【００５０】
もっとも、棒状部材は、爪楊枝あるいは串に限られるものではなく、例えば、樹脂、木材、金属、等を用いて専用に形成されたものであってもよい。また、棒状部材１は、必ずしも断面円形でなくともよく、断面矩形、断面多角形、断面半円形、断面扁平形状、等であってもよい。また、断面形状が途中で変化するものであってもよい。さらに、棒状部材１は、必ずしも直線状でなくともよく、折れ曲がり形状、屈曲形状、等であってもよい。また、持ち手部分側の端部に、各種の追加装飾（例えば、ビーズ、等）が設けられたものであってもよい。
【００５１】
また、上記の実施形態では、飾り部材２の本体部２１は、紙片により形成されるものとしたが、本体部２１の形成材料は必ずしも紙でなくともよい。すなわち、本体部２１は、薄肉のシート状であればその形成材料は何であってもよく、例えば、樹脂、木材、金属、布、等により形成されてもよい。また、本体部２１の形状は、必ずしも旗や幟を模した形状でなくともよい。また、飾り部材２は、シート状の本体部２１に、各種の追加装飾（例えば、ビーズ、等）が施されたものであってもよい。
【００５２】
また、上記の実施形態においては、差し込み口２２は、本体部２１に設けられた切れ目、貫通孔、等により形成されるものとしたが、差し込み口２２の形成態様はこれに限らない。例えば、本体部２１の表面に、棒状部材１を差し込むためのリング状の部材等を取り付けることによって、差し込み口２２を形成してもよい。
【００５３】
また、上述した各構成は、自由に組み合わせることができる。例えば図７には、図２〜図４に示される各本体部２１ａ〜２１ｈと、図５（ａ）に示される差し込み口２２ａとを組み合わせることにより得られる飾り部材が例示されている。また例えば図８には、図２〜図４に示される各本体部２１ａ〜２１ｈと、図５（ｂ）に示される差し込み口２２ｂとを組み合わせることにより得られる飾り部材が例示されている。また例えば図９には、図２〜図４に示される各本体部２１ａ〜２１ｈと、図５（ｃ）に示される差し込み口２２ｃとを組み合わせることにより得られる飾り部材が例示されている。
【００５４】
その他の構成も、本発明の趣旨を逸脱しない範囲で種々変形が可能である。
【符号の説明】
【００５５】
１００  飾り付き棒状装飾具
１，１ａ  棒状部材
２  飾り部材
２１，２１ａ〜２１ｈ  本体部
２２，２２ａ〜２２ｃ  差し込み口
【図１】
2020199051.tif 000003
【図２】
2020199051.tif 000004
【図３】
2020199051.tif 000005
【図４】
2020199051.tif 000006
【図５】
2020199051.tif 000007
【図６】
2020199051.tif 000008
【図７】
2020199051.tif 000009
【図８】
2020199051.tif 000010
【図９】
2020199051.tif 000011